(57)【要約】【課題】  表示装置に所望の文字情報を効率的に表示させる。【解決手段】  端末装置１００においてテロップ表示処理が実行される。係る処理においては、ニュースサーバ４００からダウンロードされるテロップデータにおいて個々のテロップを規定する文字列の中に、予め端末装置１００に登録されているキーワードが含まれるか否かが判別される。この結果、キーワードが含まれないと判別されたテロップのみが表示装置２００の画面部２１０に表示される。【選択図】  図１
2006267531.tif 000002
【特許請求の範囲】
【請求項１】
表示手段に文字情報を表示させるための文字情報表示用端末装置であって、
前記文字情報に対応する文字情報データを取得する文字情報データ取得手段と、
前記取得された文字情報データに基づいて、前記文字情報に予め登録されるキーワードが含まれるか否かを判別する判別手段と、
前記文字情報に前記キーワードが含まれる場合に、前記文字情報のうち前記キーワードを含む所定の単位文字情報を除いた部分が表示されるように表示手段を制御する表示制御手段と
を具備することを特徴とする文字情報表示用端末装置。
【請求項２】
前記文字情報は、相互に異なる情報内容を規定する複数の前記単位文字情報を含み、
前記判別手段は、前記複数の単位文字情報毎に前記キーワードが含まれるか否かを判別する
ことを特徴とする請求項１に記載の文字情報表示用端末装置。
【請求項３】
前記文字情報データは、ネットワークに収容された所定のサーバ装置に格納され、
前記文字情報データ取得手段は、前記ネットワークを介して前記サーバ装置から前記文字情報データを取得する
ことを特徴とする請求項１又は２に記載の文字情報表示用端末装置。
【請求項４】
前記キーワードの登録を促す入力手段を更に具備する
ことを特徴とする請求項１から３のいずれか一項に記載の文字情報表示用端末装置。
【請求項５】
表示手段に文字情報を表示させるための文字情報表示方法であって、
前記文字情報に対応する文字情報データを取得する文字情報データ取得工程と、
前記取得された文字情報データに基づいて、前記文字情報に予め登録されるキーワードが含まれるか否かを判別する判別工程と、
前記文字情報に前記キーワードが含まれる場合に、前記文字情報のうち前記キーワードを含む所定の単位文字情報を除いた部分が表示されるように表示手段を制御する表示制御工程と
を具備することを特徴とする文字情報表示方法。
【発明の詳細な説明】
【技術分野】
【０００１】
本発明は、例えば、ニュースや広告などの文字情報を表示手段に表示するための文字情報表示用端末装置及び文字情報表示方法の技術分野に関する。
【背景技術】
【０００２】
この種の装置において、文字放送情報等の情報を、通常情報と特別情報とに区分するものがある（例えば、特許文献１参照）。特許文献１に開示された情報配信システム（以下、「従来の技術」と称する）によれば、文字情報配信サーバが、特別情報をユーザに配信する際に、配信する情報が特別情報である旨を表す符合を付すように構成されている。ユーザ側の情報表示端末では、この符号によって、判別手段が、受信された情報が特別情報であるか通常情報であるかを判定可能となり、特別情報をリアルタイムに表示することが可能であるとされている。
【０００３】
尚、配信情報に属性情報が付され、この属性情報に基づいて配信された情報の選別をおこなう技術も提案されている（例えば、特許文献２参照）。
【０００４】
【特許文献１】特開２００３−３２６４５号公報
【特許文献２】特開２００２−１７１４５８号公報
【発明の開示】
【発明が解決しようとする課題】
【０００５】
配信される情報の中には、情報表示端末の設置環境に適さない種類の情報が含まれることがある。配信情報が何ら選別されない場合には、結局表示すべきか否かの別によらず全ての配信情報が表示されてしまい不都合が生じかねない。然るに、従来の技術の如くサーバ側でこれら情報表示端末各々の事情に合わせて配信情報を管理すると、文字情報配信サーバが多数の情報表示端末に対応する場合には、サーバ側の負担が大きく成り過ぎて非効率である。即ち、従来の技術には、所望される文字情報のみを効率的に表示させることが困難であるという技術的な問題点がある。
【０００６】
本発明は、例えば、係る事情に鑑みてなされたものであり、所望の文字情報を効率的に表示させることが可能な文字情報表示用端末装置及び文字情報表示方法を提供することを課題とする。
【課題を解決するための手段】
【０００７】
上述した課題を解決するため、請求項１の文字情報表示用端末装置は、表示手段に文字情報を表示させるための文字情報表示用端末装置であって、前記文字情報に対応する文字情報データを取得する文字情報データ取得手段と、前記取得された文字情報データに基づいて、前記文字情報に予め登録されるキーワードが含まれるか否かを判別する判別手段と、前記文字情報に前記キーワードが含まれる場合に、前記文字情報のうち前記キーワードを含む所定の単位文字情報を除いた部分が表示されるように表示手段を制御する表示制御手段とを具備することを特徴とする。
【０００８】
上述した課題を解決するため、請求項５の文字情報表示方法は、表示手段に文字情報を表示させるための文字情報表示方法であって、前記文字情報に対応する文字情報データを取得する文字情報データ取得工程と、前記取得された文字情報データに基づいて、前記文字情報に予め登録されるキーワードが含まれるか否かを判別する判別工程と、前記文字情報に前記キーワードが含まれる場合に、前記文字情報のうち前記キーワードを含む所定の単位文字情報を除いた部分が表示されるように表示手段を制御する表示制御工程とを具備することを特徴とする。
【発明を実施するための最良の形態】
【０００９】
＜文字情報表示用端末装置の実施形態＞
【００１０】
文字情報表示用端末装置の実施形態は、表示手段に文字情報を表示させるための文字情報表示用端末装置であって、前記文字情報に対応する文字情報データを取得する文字情報データ取得手段と、前記取得された文字情報データに基づいて、前記文字情報に予め登録されるキーワードが含まれるか否かを判別する判別手段と、前記文字情報に前記キーワードが含まれる場合に、前記文字情報のうち前記キーワードを含む所定の単位文字情報を除いた部分が表示されるように表示手段を制御する表示制御手段とを具備する。
【００１１】
本発明における「表示手段」とは、少なくとも表示画面を有し、本発明に係る文字情報を表示可能な手段を包括する概念であり、好適には係る表示画面の表示領域を比較的大きく取り易い、プラズマディスプレイ装置、ＣＲＴ（Cathode Ray Tube）ディスプレイ装置又は液晶ディスプレイ装置などのディスプレイ装置を指す。
【００１２】
本発明において、「文字情報」とは、文字によって表現された、好適にはニュース、告知情報、又は広告若しくは宣伝情報などのカテゴリに属する情報であるが、表示手段に表示可能である限りにおいて、そのカテゴリは何ら限定されない。尚、表示手段には、係る文字情報に加えて、更に映像情報、画像情報、補助情報及びその他如何なる情報が表示されてもよい。
【００１３】
本発明の文字情報表示用端末装置に係る実施形態によれば、その動作時には、文字情報データ取得手段により文字情報に対応する文字情報データが取得される。この際、好適にはネットワーク上に設置されたサーバ装置或いはそれに準じる装置から係るネットワークを介して文字情報データが取得される。この場合、ネットワークとは、例えば、ＬＡＮ（Local Area Network）若しくはＷＡＮ（Wide Area Network）などの通信網、又は適宜これら通信網を介して接続可能なインターネットであってもよい。尚、これら通信網は、例えば、通常の電話回線、ＡＤＳＬ（Asymmetric Digital Subscriber Line）、ＩＳＤＮ回線、光ファイバーなどの一部又は全部を含んでなる有線通信網として、或いは一部が無線通信網として構築されていてもよい。尚、文字情報データ取得手段が文字情報データを取得する態様は、ネットワークを介したものに限定されない。例えば、文字情報表示用端末装置にこのようなデータの供給元が併設されていてもよいし、或いは適宜記録媒体などを介して文字情報データが供給されてもよい。
【００１４】
本発明における「文字情報データ」とは、文字情報を表示手段に表示するためのデータであり、文字情報データ取得手段と当該データの供給元との接続形態や、表示手段に表示する文字情報の種類など諸条件に応じて各種態様を採り得る。例えば、供給元がネットワーク上に存在するサーバ装置などである場合には、ネットワークでの伝送に適したデータ或いはデータファイル（例えば、圧縮形式のデータ或いはデータファイル）の形式を有していてもよい。また、例えば、ＸＭＬ（eXtensible Markup Language）などの言語で記述された命令データ又はデータファイルであってもよい。
【００１５】
このような文字情報データが、文字情報表示用端末装置毎の嗜好に合わせた最適化が何らなされない状態で供給された場合、何らの対策も施さなければ、文字情報表示用端末装置の設置環境によっては表示すべきでない情報が表示手段に表示されかねない。そこで、本発明の文字情報表示用端末装置に係る実施形態では、判別手段及び表示制御手段が備わることによって、係る問題を解決している。
【００１６】
即ち、判別手段は、取得された文字情報データに基づいて、文字情報に予め登録されるキーワードが含まれるか否かを判別する、
ここで、「キーワード」とは、予め文字情報表示用端末装置側で、表示手段に表示させたくないものとして登録しておくことが可能な文字列を指す。例えば、文字情報表示用端末装置が大学などの教育機関に設置される場合には、「採点ミス」などの文字列は学生などの不安を招きかねないため表示させたくない場合がある。このような場合は、「採点ミス」がキーワードとして登録されていてもよい。尚、登録されるキーワードの内容、サイズ及び数量などは何ら限定されない。
【００１７】
尚、「登録される」とは、文字情報表示用端末装置が参照可能な形式で何らかの記憶手段によって記憶されていることを表す趣旨である。係る記憶手段の態様は、例えば、ＲＯＭ（Read Only Memory）などの不揮発性のものであってもよいし、適宜書き換え（追加登録）が可能なＨＤＤ（Hard Disk Drive）やＤＶＤなどの不揮発性のものであってもよい。このような記憶手段は、文字情報表示用端末装置に内蔵されていてもよいし、文字情報表示用端末装置による参照が可能な限りにおいて、文字情報表示用端末装置の外部に設置されていてもよい。
【００１８】
判別手段は、文字情報にキーワードが含まれるか否かを判別可能な限りにおいて、どのようにして係る判別を行ってもよいが、文字情報データがテキストデータを含む場合には、係るテキストデータを参照し、キーワードの文字列とテキストデータの文字列とを比較することによって係る判別が行われる。尚、この際、キーワードのみならず、キーワードの類義語に相当する文字列が同時に検索されてもよい。このような類義語に関しては、予めキーワードに対応付けられて用意されていてもよいし、何らかのアルゴリズムに従って適宜生成されてもよい。
【００１９】
表示制御手段は、文字情報にキーワードが含まれる場合には、文字情報のうち係るキーワードを含む所定の単位文字情報を除いた部分が表示されるように表示手段を制御する。
【００２０】
ここで、「単位文字情報」とは、文字情報の少なくとも一部であって、文字情報の内容に関する何らかの区切りによって規定された部分を包括する概念であり、例えば、文字情報が複数のニュースで構成される場合には、ニュース全体における一のニュースなどを指す。或いは、ニュースが複数のカテゴリに属する場合には、一のカテゴリであってもよい。或いは、一のニュースにおける、句読点などで区切られた部分であってもよい。このような区切りは、所定の基準に従って与えられてもよいし、文字情報表示用端末装置側で適宜設定可能に構成されていてもよい。
【００２１】
文字情報のうち、キーワードを含む所定の単位文字情報を除いた部分とは、例えば、文字情報が全部でＮ個のニュース（単位文字情報）からなり、ｎ番目のニュースがキーワードを含む場合、ｎ−１番目のニュースの次にｎ＋１番目のニュースが表示されるように構成されたＮ−１個のニュースからなる文字情報などを指す。
【００２２】
尚、このような単位文字情報は、対応する文字情報データの中で、予め何らかの制御情報又は制御コードによって規定されていてもよい。例えば、文字情報データがＸＭＬ形式のデータ（データファイル）である場合、このような制御情報（制御コード）とは、係るデータ（データファイル）中に所定の基準に従って設けられるタグであってもよい。
【００２３】
尚、表示制御手段が行う制御とは、例えば、表示手段の態様（性能、表示領域の大きさ、又は仕様など）に応じた映像信号を生成して表示手段に供給する制御などを含むものである。また、表示制御手段が表示手段に文字情報を表示させる際の表示形式は、どのようなものであってもよい。例えば、静止画として文字情報を表示してもよいし、動画として文字情報を表示してもよい。動画として文字情報を表示する態様とは、典型的にはスクロール表示を指す。文字情報がスクロール表示される場合には、例えば、所定の領域内を文字情報が一定或いは不定方向に移動しつつ表示される。このような表示形態を有する文字情報は、例えば、「テロップ」と称される態様を含む。尚、文字情報にキーワードが含まれない場合には、このような除外がなされないまま、文字情報が表示手段に表示される。
【００２４】
このように、本発明の文字情報表示用端末装置に係る実施形態によれば、文字情報のうち、予め登録されたキーワードを含む単位文字情報は表示手段に表示されないため、結果として文字情報が所望される形で表示手段に表示される。また、この際、キーワードが含まれるか否かの判別を文字情報表示用端末装置側で実行することができるので効率的である。即ち、所望の文字情報を効率的に表示させることが可能となるのである。
【００２５】
本発明の文字情報表示用端末装置に係る実施形態の一の態様では、前記文字情報は、相互に異なる情報内容を規定する複数の前記単位文字情報を含み、前記判別手段は、前記複数の単位文字情報毎に前記キーワードが含まれるか否かを判別する。
【００２６】
この態様によれば、文字情報が複数の単位文字情報を含み、係る複数の単位文字情報毎にキーワードが含まれるか否かが判別されるため、判別に係る処理が軽減される。尚、ここで、「相互に異なる情報内容」とは、除外された場合に、その前後の単位文字情報の表示に影響を与えない、言い換えれば、そのような表示が行われても視聴する側に違和感を与えないものを指し、例えば、一のニュースに関する文章全体などを指す。
【００２７】
本発明の文字情報表示用端末装置に係る実施形態の他の態様では、前記文字情報データは、ネットワークに収容された所定のサーバ装置に格納され、前記文字情報データ取得手段は、前記ネットワークを介して前記サーバ装置から前記文字情報データを取得する。
【００２８】
この態様によれば、文字情報データは、ネットワーク上のサーバ装置から供給される。従って、本発明に係る文字情報表示用端末装置は、文字通り端末装置として、例えば表示手段の周辺に設置されていてもよい。この場合、これらを含むシステム全体としては、例えばＲＣＢＢ（RemoteCast（登録商標）Broad Band）などに代表されるような広告配信表示システムの形態を採り、文字情報表示用端末装置は、その一部として構成されていてもよい。
【００２９】
また、この場合、「サーバ装置」とは、このような文字情報データを格納する、例えばニュースサーバと称されるコンピュータシステムであってもよいし、それに加えて文字情報表示用端末装置の動作を制御するデータファイルなどを格納したコンピュータシステムであってもよい。
【００３０】
本発明の文字情報表示用端末装置に係る実施形態の他の態様では、前記キーワードの登録を促す入力手段を更に具備する。
【００３１】
この態様によれば、キーワードの登録を促す入力手段によって、文字情報表示用端末装置において簡便にキーワードの入力を行うことが可能となる。このような入力手段とは、キーワードの登録を可能とする限りにおいて如何なる態様を有していてもよく、例えば、キーボード、マウス、タッチパッド、及び各種ボタンスイッチなどの一部或いは全部などを含んでもよい。
＜文字情報表示方法の実施形態＞
【００３２】
文字情報表示方法に係る実施形態は、表示手段に文字情報を表示させるための文字情報表示方法であって、前記文字情報に対応する文字情報データを取得する文字情報データ取得工程と、前記取得された文字情報データに基づいて、前記文字情報に予め登録されるキーワードが含まれるか否かを判別する判別工程と、前記文字情報に前記キーワードが含まれる場合に、前記文字情報のうち前記キーワードを含む所定の単位文字情報を除いた部分が表示されるように表示手段を制御する表示制御工程とを具備する。
【００３３】
本発明の文字情報表示方法に係る実施形態によれば、上述した本発明の文字情報表示用端末装置に係る実施形態の各手段と同等の作用を実現し得る各工程における動作によって、所望の文字情報を効率的に表示させることが可能となる。
【００３４】
以上説明したように、本発明の文字情報表示装置に係る実施形態は、文字情報データ取得手段、判別手段及び表示制御手段を備えるので、所望の文字情報を効率的に表示手段に表示させることが可能である。また、本発明の文字情報表示方法に係る実施形態は、文字情報データ取得工程、判別工程及び表示制御工程を備えるので、所望の文字情報を効率的に表示手段に表示させることが可能である。
【００３５】
本発明のこのような作用及び他の利得は次に説明する実施例から明らかにされる。
【実施例】
【００３６】
以下、図面を参照して本発明の好適な実施例について説明する。
【００３７】
＜実施例の構成＞
＜広告表示システムの構成＞
始めに、図１を参照して、本発明の実施例に係る広告表示システムの構成について説明する。ここに、図１は、広告表示システム１０の概念図である。
【００３８】
図１において、広告表示システム１０は、端末装置１００、表示装置２００、データ配信サーバ３００及びニュースサーバ４００を備え、端末装置１００、データ配信サーバ３００及びニュースサーバ４００が夫々ネットワーク２０に収容されてなるシステムである。
【００３９】
ネットワーク２０は、例えばＬＡＮなどを介して接続されるインターネットであり、端末装置１００、データ配信サーバ３００及びニュースサーバ４００各々間でＨＴＴＰ（Hyper Text Transfer Protocol）に準拠した各種データの授受が可能に構成された、本発明に係る「ネットワーク」の一例である。また、ネットワーク２０は、予め定められた契約の下で端末装置１００とデータ配信サーバ３００及びニュースサーバ４００との相互通信が可能となるように構築されていてもよい。
【００４０】
端末装置１００は、データ配信サーバ３００から供給される管理スケジュールに従って、表示装置２００へ画像情報、映像情報及び文字情報などを表示させることが可能に構成された、本発明に係る「文字情報表示用端末装置」の一例である。尚、端末装置１００の詳細な構成については後述する。
【００４１】
表示装置２００は、例えば、プラズマディスプレイ装置であり、比較的大型（例えば、５０〜８０インチ程度）の画面部２１０を備えた、本発明に係る「表示手段」の一例である。尚、画面部２１０の詳細な構成については後述する。
【００４２】
データ配信サーバ３００は、端末装置１００及び図示せぬ他の端末装置各々における情報表示スケジュールを管理すると共に、それらに対し各種コンテンツを供給するサーバである。
【００４３】
ニュースサーバ４００は、端末装置１００及び図示せぬ他の端末装置各々に対し、ニュースなどのテロップに関するテロップデータを供給することが可能に構成された、本発明に係る「サーバ装置」の一例である。ニュースサーバ４００には、図示せぬクリエータなどから逐次最新のニュースに対応するテロップデータがアップロードされている。
【００４４】
＜端末装置１００の詳細構成＞
次に、図２を参照して、端末装置１００の詳細な構成について説明する。ここに、図２は、端末装置１００のブロック図である。尚、同図において、図１と重複する箇所には同一の符号を付してその説明を省略する。
【００４５】
図２において、端末装置１００は、制御部１１０、再生部１２０、記憶部１３０、通信部１４０及び入力部１５０を備える。
【００４６】
制御部１１０は、ＣＰＵ（Central Processing Unit）１１１、ＲＯＭ１１２及びＲＡＭ（Random Access Memory）１１３を備える。
【００４７】
ＣＰＵ１１１は、端末装置１００の動作全体を制御する制御ユニットであり、後述するテロップ表示処理を実行することが可能に構成されると共に、本発明に係る「判別手段」及び「表示制御手段」の夫々一例として機能するように構成されている。
【００４８】
ＲＯＭ１１２は、各種アプリケーションプログラムが格納された不揮発性のメモリである。ＲＡＭ１１３は、ＣＰＵ１１１がＲＯＭ１１２に格納されるアプリケーションプログラムを実行する過程で生じる各種データを一時的に格納することが可能に構成された揮発性のメモリである。
【００４９】
再生部１２０は、ＣＰＵ１１１によって上位制御されるモジュールであり、表示装置２００における画面部２１０に、本発明に係る「文字情報」の一例たるテロップを表示させるための表示用データを生成すると共に、表示装置２００へ供給することが可能に構成されている。再生部１２０は、ＣＰＵ１１１と共に、本発明に係る「表示制御手段」の一例として機能する。
【００５０】
記憶部１３０は、例えば、ＨＤＤであり、データ配信サーバ３００及びニュースサーバ４００から供給される各種コンテンツに関するデータを記録媒体に記録すると共に、画面部２１０への表示を禁止する文字列を規定するキーワードを登録することが可能に構成された、書き換え可能な記憶装置である。
【００５１】
通信部１４０は、ネットワーク２０を介して、データ配信サーバ３００及びニュースサーバ４００から各種データを取得することが可能に構成された、本発明に係る「文字情報データ取得手段」の一例である。
【００５２】
入力部１５０は、例えば、キーボード及びポインティングデバイスを含み、端末装置１００のユーザなどによって操作されることによって前述したキーワードを記憶部１３０に登録することが可能に構成された、本発明に係る「入力手段」の一例である。
【００５３】
＜表示装置２００の構成＞
次に、図３を参照して、表示装置２００における画面部２１０の詳細な構成について説明する。ここに、図３は、画面部２１０の模式図である。
【００５４】
図３において、画面部２１０は、動画表示エリア２１１、静止画表示エリア２１２及び２１３、並びにテキストスクロールエリア２１４に分割されている。
【００５５】
動画表示エリア２１１は、データ配信サーバ３００から供給される各種コンテンツデータに基づいた動画情報を表示するための表示領域である。動画情報とは、例えば、コマーシャル映像などの広告映像である。
【００５６】
静止画表示エリア２１２及び２１３は、データ配信サーバ３００から供給される各種コンテンツデータに基づいた静止画情報を表示するための表示領域である。静止画情報とは、例えば、電子ポスターなど、所定時間間隔で切り替わるコマーシャル画像である。静止画表示エリア２１２及び２１３には、夫々異なる静止画を表示することも可能である。
【００５７】
テキストスクロールエリア２１４は、ニュースサーバ４００から供給されるテロップデータに基づいたテロップを表示するための表示領域である。
【００５８】
＜テキストスクロールエリアの詳細＞
ここで、図４を参照して、テキストスクロールエリア２１４の詳細な構成について説明する。ここに、図４は、テキストスクロールエリア２１４の模式図である。
【００５９】
図４において、テキストスクロールエリア２１４には、テロップＴｐが表示される。テロップＴｐは、端末装置１００の制御部１１０によって、図中スクロール方向に一定の速度でスクロール表示されるように制御されている。
【００６０】
＜実施例の動作＞
＜広告表示システムの動作概要＞
ここで、再び図１を参照して、広告表示システム１０の動作概要について説明する。
【００６１】
図１において、データ配信サーバ３００は、端末装置１００に対して供給すべきコンテンツのデータや端末装置１００における表示スケジュールなどを蓄積管理している。端末装置１００は、データ配信サーバ３００に対し、一定の周期でＨＴＴＰに準拠したポーリングを行い、係る表示スケジュールなどを規定する制御情報を更新している。この適宜更新される制御情報に基づいて、端末装置１００は表示装置２００に各種情報を表示させている。例えば、前述した動画表示エリア２１１や静止画表示エリア２１２及び２１３に表示されるべき画像や映像に属するコンテンツに関しては、通信部１４０を介して適宜データ配信サーバ３００からコンテンツデータがダウンロードされ、再生部１２０によって画像表示のための各種処理が実行された後、表示装置２００に表示される。
【００６２】
一方、例えばニュースなど比較的更新頻度の高い文字情報は、ニュースサーバ４００に逐次アップロードされている。端末装置１００は、データ配信サーバ３００から取得した制御情報に従って、所定の時刻にネットワーク２０上の所定のアドレスに存在するニュースサーバ４００にアクセスし、最新のテロップデータを取得し、テキストスクロールエリア２１４にテロップＴｐとしてスクロール表示させている。
【００６３】
ここで、ニュースサーバ４００から供給されるテロップデータは、他の端末装置にも等しく供給される単一のデータであり、このような単一のデータに基づいてテロップの表示を行った場合には、端末装置１００の設置環境上好ましくないテロップがテキストスクロールエリア２１４に表示されてしまうことがある。そこで、端末装置１００では、ＣＰＵ１１１が、ＲＯＭ１１２に格納されるアプリケーションプログラムに従って以下に説明するテロップ表示処理を実行し、所望のテロップのみを表示画面２１０に表示させている。
【００６４】
＜テロップ表示処理の詳細＞
次に、図５を参照して、テロップ表示処理の詳細について説明する。ここに、図５は、テロップ表示処理のフローチャートである。
【００６５】
図５において、ＣＰＵ１１１は、予めデータ配信サーバ３００から取得してある制御情報に含まれる表示スケジュールに基づいて通信部１４０を制御し、ネットワーク２０を介してニュースサーバ４００からテロップデータをダウンロードする（ステップＡ１０）。テロップデータは、ＸＭＬ形式のデータファイルであり、ダウンロードされた文字情報データは、ＲＡＭ１１３に一時的に格納された後、記憶部１３０に格納される。
【００６６】
ここで、図６を参照して本実施例に係るテロップデータについて説明する。ここに、図６は、テロップデータの概念図である。
【００６７】
図６において、テロップデータは、テロップを規定するデータブロックがｎ個配置されてなり、全体としてｎ個のテロップＴｐｉ（ｉ＝０，２，・・・，ｎ−１）が規定されている。個々のテロップを規定するデータブロックは、個々のニュースに対応したテロップを表すテキストデータ（本発明に係る「単位文字情報」の一例、特に「相互に異なる情報内容を規定する単位文字情報」の一例）を含み、ｎ個のテロップ全体によって、本発明に係る「文字情報」の一例が構成されている。
【００６８】
ここで、図７を参照して、テロップデータの詳細について説明する。ここに、図７は、テロップデータにおけるテロップＴｐｉを規定するデータ構造の模式図である。
【００６９】
図７において、テロップＴｐｉは、一のニュースの内容を表すテキストデータとして表される。テロップデータは、ＸＭＬ形式のデータファイルであり、テロップＴｐｉは、一対のタグＴｇｉによって規定されている。尚、図示は省略するが、一対のタグＴｇｉ間には、テロップＴｐｉを表すテキストデータの他に、テロップの表示色などを指定するデータなどが含まれていてもよい。即ち、一対のタグＴｇｉによって挟まれる部分には、テロップＴｐｉを画面部２１０に表示するための各種制御情報が含まれていてもよい。
【００７０】
図５に戻り、テロップデータをダウンロードすると、ＣＰＵ１１１は、テロップデータに含まれるテロップ数ｎを取得する（ステップＡ１１）。
【００７１】
テロップ数ｎを取得すると、ＣＰＵ１１１は、一のテロップを指定するためのカウンタｉをリセットして「０」に設定し（ステップＡ１２）、記憶部１３０からテロップＴｐｉを読み出す（ステップＡ１３）。
【００７２】
カウンタｉによって規定されるテロップを読み出すと、ＣＰＵ１１１は、テロップＴｐｉが、表示可能なテロップであるか否かを判別する（ステップＡ１３）。ここで、「表示可能なテロップ」とは、端末装置１００の設置環境に基づいて規定され、予め端末装置１００に登録されているキーワードを含まないテロップを指し、画面部２１０に表示されるに適したテロップのことを指す。例えば、端末装置１００が大学などの教育機関に設置される場合、テロップＴｐｉが、図７に示す如く採点ミスについてのニュースであるならば、テロップＴｐｉは表示に適さないテロップである。従って、この場合、予め「採点ミス」なる文字列がキーワードとして登録されていれば、テロップＴｐｉは表示に適さないテロップであると判別される。即ち、ステップＡ１３では、テロップの検閲が実行される。具体的には、テロップＴｐｉ（テキストデータ）と、記憶部１３０に記憶されるキーワード（テキストデータ）との照合が行われ、テロップＴｐｉの中に、キーワードに相当する文字列が存在しない場合に、テロップＴｐｉが表示可能なテロップであると判別される。
【００７３】
尚、このキーワードは、予め端末装置１００側で入力部１５０を介して登録されている。ここで、登録されるとは、即ち、記憶部１３０にキーワードとして参照可能な形式で記憶されることを表す。また、キーワードは、入力部１５０を介して常に追加登録することが可能に構成されている。尚、このキーワードは、単数であっても複数であってもよく、複数登録されている場合には、例えば、論理和が採られ、登録されたキーワードを一つでも含むテロップは、表示不可能であると判別される。無論、論理積が採られ、登録されたキーワードを全て含むテロップが表示不可能であると判別されてもよい。
【００７４】
テロップＴｐｉが表示可能なテロップである場合（ステップＡ１４：ＹＥＳ）、ＣＰＵ１１１は、再生部１２０を制御してテロップＴｐｉを再生する（ステップＡ１５）。この際、再生部１２０は、テロップＴｐｉ（テキストデータによって表される内容）を表示装置２００の画面部２１０に表示するための表示用データを生成して表示装置２００に供給する。供給された表示用データに従って、画面部２１０のテキストスクロールエリア２１４にテロップＴｐｉがスクロール表示され、再生される。
【００７５】
テロップＴｐｉが再生されると、ＣＰＵ１１１はカウンタｉを「１」インクリメントする（ステップＡ１６）と共に、カウンタｉの値が「ｎ」であるか否かを判別する（ステップＡ１７）。一方、ステップＡ１４によって、テロップＴｐｉが表示を禁止されたテロップであると判別された場合（ステップＡ１４：ＮＯ）、ＣＰＵ１１１は、テロップＴｐｉの再生を行わずに、即座に処理をステップＡ１６に移行させる。
【００７６】
カウンタｉの値がｎではない場合、即ち、テロップデータに含まれるテロップの中に、未だステップＡ１４によって再生（表示）又は再生（表示）禁止の決定が行われていないテロップが存在する場合（ステップＡ１７：ＮＯ）、ＣＰＵ１１１は、処理をステップＡ１３に戻し、既に説明したステップＡ１３〜ステップＡ１７に至る一連の処理を実行する。カウンタｉの値がnとなった場合、即ち、テロップデータに含まれる全てのテロップＴｐｉ（ｉ＝０，１，・・・，ｎ−１）について、ステップＡ１４によって再生（表示）又は再生（表示）禁止の決定が行われた場合（ステップＡ１７：ＹＥＳ）、ＣＰＵ１１１は、テロップデータの更新が行われたか否かを判別する（ステップＡ１８）。尚、ＣＰＵ１１１は、通信部１４０を介して、一定のタイミング毎にニュースサーバ４００にアクセスしており、テロップデータが更新されているか否かを逐次監視している。
【００７７】
テロップデータが更新されていない場合（ステップＡ１８：ＮＯ）、ＣＰＵ１１１は、処理をステップＡ１２に戻し、再びテロップデータに含まれるテロップＴｐｉを最初から順次表示させるための一連の処理（ステップＡ１３〜ステップＡ１７）を実行してテロップ表示処理を継続する。一方、テロップデータが更新されている場合には（ステップＡ１８：ＹＥＳ）、ＣＰＵ１１１は、処理を再びステップＡ１０に戻し、ニュースサーバ４００から新たなテロップデータを取得してテロップ表示処理を継続する。
【００７８】
尚、更新されないテロップデータに基づいた２度目以降のテロップ表示については、１度目の処理においてステップＡ１４の判別結果をＲＡＭ１１３に適宜バッファリングしておくことによって、一層快適に実行することも可能である。
【００７９】
以上、説明したように、本実施例に係る端末装置１００によれば、ニュースサーバ４００から一律に供給されるテロップデータを検閲し、予め登録されているキーワードが含まれるテロップについては、再生を禁止することが可能に構成されている。即ち、所望のテロップを効率的に表示することが可能に構成されている。
【００８０】
尚、上述した実施例においては、ＣＰＵ１１１が実行すべきアプリケーションプログラムは、予めＲＯＭ１１２に格納されているが、例えば、このようなアプリケーションプログラムは、ＣＤ−ＲＯＭ又はＤＶＤ−ＲＯＭなどの記録媒体を介して適宜端末装置１００に供給されてもよい。またこの際、供給されたアプリケーションプログラムは、端末装置１００に内蔵或いは外付けされるハードディスク等の記憶媒体に適宜記憶されてもよい。或いは、このようなアプリケーションプログラムは、ネットワーク２０を介して、適宜ダウンロードされることによって供給されてもよい。
【００８１】
本発明は、上述した実施例に限られるものではなく、請求の範囲及び明細書全体から読み取れる発明の要旨或いは思想に反しない範囲で適宜変更可能であり、そのような変更を伴う文字情報表示用端末装置及び文字情報表示方法もまた本発明の技術的範囲に含まれるものである。
【図面の簡単な説明】
【００８２】
【図１】本発明の実施例に係る広告表示システムの概念図である。
【図２】図１の広告表示システムにおける端末装置のブロック図である。
【図３】図１の広告表示システムにおける表示装置の画面部の模式図である。
【図４】図３の画面部におけるテキストスクロールエリアの模式図である。
【図５】図２の端末装置によって実行されるテロップ表示処理のフローチャートである。
【図６】図５のテロップ表示処理において取得されるテロップデータの概念図である。
【図７】図６のテロップデータにおけるデータ構造の模式図である。
【符号の説明】
【００８３】
１０…広告表示システム、２０…ネットワーク、１００…端末装置、１１０…制御部、１２０…再生部、１３０…記憶部、１４０…通信部、１５０…入力部、２００…表示装置、２１０…画面部、２１４…テキストスクロールエリア、３００…データ配信サーバ、４００…ニュースサーバ。
【図１】
2006267531.tif 000003
【図２】
2006267531.tif 000004
【図３】
2006267531.tif 000005
【図４】
2006267531.tif 000006
【図５】
2006267531.tif 000007
【図６】
2006267531.tif 000008
【図７】
2006267531.tif 000009